(57)【特許請求の範囲】
【請求項１】
一の梁の上フランジに固定された補強柱と、該補強柱の上端部に固定される内壁上部取付部材と、補強柱の外側に配設された外壁パネルと、外壁パネルの裏面側下部左右および裏面側上部左右にそれぞれ固定された係合部を有する外壁取付金具と、補強柱の内側に配設された内壁パネルと、内壁パネルの裏面側上部左右にそれぞれ固定されたボルト穴を有する内壁上部取付金具と、内壁パネルの裏面側下部左右にそれぞれ固定された挟持部を有する内壁下部取付金具とから構成されており、前記補強柱は、前記一の梁の上フランジにボルトナット固定された支柱と、該支柱に固定されたリップ部を有する外壁取付部材と、前記支柱にボルトナット固定された内壁下部取付部材とを少なくとも備え、前記内壁下部取付部材は、支柱側面にボルトナット固定され、内壁パネル下端部を支持するＬ字状の支持板材と、この支持板材の水平部上面に固定された垂直板材とを備えており、
外壁取付金具の係合部を外壁取付部材のリップ部に係合させて、外壁パネルを補強柱に固定し、
ボルトをナットに抜け落ちない程度にねじ込んで内壁下部取付部材を支柱に仮止めし、かつ、この仮止めしたボルトを回転軸として内壁下部取付部材を内側に回転させて内壁下部取付部材の垂直板材を内側に所定角度倒した状態で、内壁パネルと内壁下部取付金具の挟持部との間に内壁下部取付部材の垂直板材を差し込むとともに、内壁パネル下端部を内壁下部取付部材の支持板材上に載置した後、内壁パネルを起こして内壁下部取付部材の垂直板材を垂直な状態にして、内壁パネルの裏面側上部左右に固定された内壁上部取付金具を内壁上部取付部材にボルト止めし、ボルトをナットに締結して内壁下部取付部材を支柱に固定して、内壁パネルを補強柱と内壁上部取付部材とに固定する
ことにより外壁パネルおよび内壁パネルからなる外壁が取り付けられることを特徴とするバルコニーにおける外壁の取付構造。
【請求項２】
前記一の梁の上フランジ上面に外壁パネル下端部を支持する支持板が固定されており、外壁取付金具の係合部を外壁取付部材のリップ部に係合する際、外壁パネルはこの支持板上に載置されている請求項１記載のバルコニーにおける外壁の取付構造。
【請求項３】
前記一の梁の下フランジに外壁パネル下端部を支持する外壁下部支持部材が固定されており、外壁取付金具の係合部を外壁取付部材のリップ部に係合する際、外壁パネルはこの外壁下部支持部材上に載置されている請求項１記載のバルコニーにおける外壁の取付構造。
【発明の詳細な説明】
【０００１】
【発明の属する技術分野】
本発明は、鉄骨系住宅のバルコニーにおける外壁の取付構造に関するものである。
【０００２】
【従来の技術】
従来、住宅の外壁パネルを梁に対して固定する場合、溶接構造が採用されていた。具体的には、図８に示すように、外壁パネル１０１の裏面側上部左右および下部左右にそれぞれ取付金具１０２をボルト止めする一方、Ｈ形鋼で形成された梁１０３の上フランジ１０３ａや下フランジ１０３ｂに取付部材としての山形鋼１０４を溶接し、各取付金具１０２と外壁パネル１０１との間の間隙部に山形鋼１０４の垂直部１０４ａを差し込む。次いで、地震などによって取付金具１０２が回転し、山形鋼１０４から外れることを防止するとともに、外壁パネル１０１が梁１０３に対して水平移動することを防止するため、取付金具１０２を山形鋼１０４に溶接する。
【０００３】
なお、外壁パネル１０１は押し出し成形されたものであり、複数個の中空部１０１ａが形成されている。また、外壁パネル１０１の裏面側上部左右および下部左右の所定位置には、いずれか１つの中空部１０１ａに貫通するボルト穴が形成されている。そして、外壁パネル１０１のボルト穴には、中空部１０１ａの端部から挿入されたナット金具（図示せず）が予め配設されている。従って、外壁パネル１０１のボルト穴に配設されたナット金具に取付金具１０２のボルト穴を合わせてボルトをねじ込むことにより、外壁パネル１０１の所定位置に取付金具１０２を固定することができる。
【０００４】
【発明が解決しようとする課題】
しかしながら、前述したように、取付金具の回転を防止するために取付金具を山形鋼に溶接する場合、足場の悪い条件下で溶接作業を行わなければならず、作業が煩雑になるとともに、溶接作業を行うことのできる熟練技術者および溶接設備が必要となる。しかも、溶接によって溶融したスパッタが滴下し、資材が損傷したり、火災が発生するおそれもある。
【０００５】
一方、バルコニーの外壁パネルを前述した溶接構造で取り付けることも提案されているが、溶接構造を採用することに伴う問題点をそのまま内包する他、外壁パネルの裏面が露出し、見栄えが低下するという欠点がある。このため、外壁パネル裏面にフレキ板等を貼りつけた後、このフレキ板の内側表面に化粧工事、例えば、吹き付け塗装を別途行う必要が有り、多くの作業時間が必要になるとともに、外壁パネル裏面の模様が希薄になるという問題があった。
【０００６】
さらに、外壁パネルを取り付ける際に吹き付け塗装を別途行う必要が無いように、外壁パネルを形成するときに外壁パネルの表裏面に模様を設けておくことも提案されているが、表裏面に模様を設けることは非常に困難であり、特殊な製法であるため、外壁パネルの製造コストが高くなるという問題があった。
【０００７】
本発明は、このような問題点に鑑みてなされたものであり、バルコニーの外壁を取り付ける場合において、見栄えを損なうことなく外壁を簡単確実に固定することのできる外壁の取付構造を提供するものである。
【０００８】
【課題を解決するための手段】
本発明のバルコニーにおける外壁の取付構造は、一の梁の上フランジに固定された補強柱と、該補強柱の上端部に固定される内壁上部取付部材と、補強柱の外側に配設された外壁パネルと、外壁パネルの裏面側下部左右および裏面側上部左右にそれぞれ固定された係合部を有する外壁取付金具と、補強柱の内側に配設された内壁パネルと、内壁パネルの裏面側上部左右にそれぞれ固定されたボルト穴を有する内壁上部取付金具と、内壁パネルの裏面側下部左右にそれぞれ固定された挟持部を有する内壁下部取付金具とから構成されており、前記補強柱は、前記一の梁の上フランジにボルトナット固定された支柱と、該支柱に固定されたリップ部を有する外壁取付部材と、前記支柱にボルトナット固定された内壁下部取付部材とを少なくとも備え、前記内壁下部取付部材は、支柱側面にボルトナット固定され、内壁パネル下端部を支持するＬ字状の支持板材と、この支持板材の水平部上面に固定された垂直板材とを備えており、外壁取付金具の係合部を外壁取付部材のリップ部に係合させて、外壁パネルを補強柱に固定し、ボルトをナットに抜け落ちない程度にねじ込んで内壁下部取付部材を支柱に仮止めし、かつ、この仮止めしたボルトを回転軸として内壁下部取付部材を内側に回転させて内壁下部取付部材の垂直板材を内側に所定角度倒した状態で、内壁パネルと内壁下部取付金具の挟持部との間に内壁下部取付部材の垂直板材を差し込むとともに、内壁パネル下端部を内壁下部取付部材の支持板材上に載置した後、内壁パネルを起こして内壁下部取付部材の垂直板材を垂直な状態にして、内壁パネルの裏面側上部左右に固定された内壁上部取付金具を内壁上部取付部材にボルト止めし、ボルトをナットに締結して内壁下部取付部材を支柱に固定して、内壁パネルを補強柱と内壁上部取付部材とに固定することにより外壁パネルおよび内壁パネルからなる外壁が取り付けられることを特徴とするものである。
【０００９】
この発明によれば、梁に補強柱を固定する一方、外壁パネルに外壁取付金具を固定するとともに、内壁パネルに内壁上部取付金具および内壁下部取付金具を固定し、外壁パネルに固定された外壁取付金具の係合部を補強柱の外壁取付部材のリップ部に係合させた後、補強柱の内壁下部取付部材の垂直板材を内壁パネルと内壁下部取付金具の挟持部との間に差し込んで内壁パネル下部を内壁下部取付部材に固定し、さらに、内壁上部取付金具を内壁上部取付部材にボルト止めして内壁パネル上部を内壁上部取付部材に固定するだけの簡単な作業により、バルコニーの外壁を梁に対して確実に固定することができる。しかも、外壁パネルの裏面には内壁パネルが配設されることから、バルコニー内からは外壁パネルと同一の模様が設けられた内壁パネルの表面が露呈することになり、化粧工事を行うことなく見栄えを向上させることができる。
【００１０】
また、前記一の梁の上フランジ上面に外壁パネル下端部を支持する支持板が固定されており、外壁取付金具の係合部を外壁取付部材のリップ部に係合する際、外壁パネルはこの支持板上に載置されていてもよい。
【００１１】
また、前記一の梁の下フランジに外壁パネル下端部を支持する外壁下部支持部材が固定されており、外壁取付金具の係合部を外壁取付部材のリップ部に係合する際、外壁パネルはこの外壁下部支持部材上に載置されていてもよい。
【００１２】
【発明の実施の形態】
次に、本発明のバルコニーにおける外壁の取付構造の実施形態について図面を参照しつつ説明する。
【００１３】
図１には、本発明のバルコニーにおける外壁の取付構造が示されている。
このバルコニーにおける外壁の取付構造は、梁１の上フランジ１ｂに固定された補強柱２と、梁１の上フランジ１ｂに固定された支持板３と、この補強柱２の上端部に溶着された内壁上部取付部材４と、補強柱２の外側に配設された外壁パネル５と、外壁パネル５の裏面側下部左右および裏面側上部左右にそれぞれ固定された係合部６ａ，３６ａを有する外壁取付金具６，３６と、補強柱２の内側に配設された内壁パネル７と、内壁パネル７の裏面側上部左右にそれぞれ固定されたボルト穴を有する内壁上部取付金具１２と、内壁パネル７の裏面側下部左右にそれぞれ固定された挟持部１３ａを有する内壁下部取付金具１３とから構成されている。
【００１４】
補強柱２は、図２に詳細に示すように、長板状の支柱２１と、該支柱２１の下端部近傍の外側側面に溶着された外壁取付部材２２および支柱２１の上端部近傍の外側側面に溶着された外壁取付部材３２と、支柱２１の下端部近傍の左右側面にそれぞれボルトナット固定された内壁下部取付部材２３と、該内壁下部取付部材２３の下方に位置して支柱２１の内側端面に溶着されたボード固定部材２４と、支柱２１の下端部にボルトナットを介して固定されたＬ字状の接続部材２５と、該接続部材２５に溶着された方形の補強柱固定部材２６とを備え、補強柱２は、補強柱固定部材２６に形成されたボルト穴２６ａを通して梁１にボルトナットを介して固定される。
【００１５】
なお、支柱２１は、補強柱固定部材２６に対する垂直性を調整するため、補強柱固定部材２６に垂直に固定された接続部材２５にボルトナット固定されている。
【００１６】
また、外壁取付部材２２，３２は、方形の鋼板で形成されており、その左右両端部には、内側に突出するリップ部２２ａ，２２ｂ，３２ａ，３２ｂが設けられている。
【００１７】
さらに、内壁下部取付部材２３は、内壁パネル７下端部を支持するＬ字状の支持板材２３ａと、この支持板材２３ａの水平部２３１上面に溶接された垂直板材２３ｂとを有しており、支持板材２３ａの垂直部２３２には、ボルトを挿通可能な取付穴が形成されている。このため、内壁下部取付部材２３は、支持板材２３ａの垂直部２３２に形成された取付穴を通して支柱２１側面にボルトナットを介して固定することができる。
【００１８】
一方、支持板３は、方形の鋼板で形成されており、その一端部を支柱２１よりも外側に突出させた状態で、梁１の上フランジ１ｂにボルトナット固定されている。なお、この支持板３の代わりに、図３に示すように、鋼板を略Ｚ字状に折曲して形成されており、梁１の下フランジ１ａにボルトナットを介して固定された上部水平部３１ａと、外壁パネル５の裏面を沿わせる垂直部３１ｂと、外壁パネル５下部を支持する下部水平部３１ｃとからなる支持板３１を用いてもよい。さらに、この支持板３１は、図３に示すように梁１の下フランジ１ａに直接ボルトナット固定されていてもよく、梁１の下フランジ１ａに取り付けられた図示していない他の部材（例えば、下階の外壁を取り付けるために梁１の下フランジ１ａに取り付けられた窓開口部を有する外壁枠等）を介して間接的に梁１の下フランジ１ａに固定されていてもよい。
【００１９】
また、内壁上部取付部材４は方形の鋼板で形成されており、後述する内壁パネル７をボルト止めする際にボルト１４を挿通可能な長穴４ａと、外壁パネル５および内壁パネル７の上端部を覆う笠木（図示せず）を取り付ける際に使用される笠木固定部材１５を内壁上部取付部材４にボルト止めする際にボルト１６と螺合可能なめねじ穴４ｂとが設けられている。
【００２０】
また、外壁パネル５には、図４に示すように、その裏面側下部左右および裏面側上部左右にボルト穴５ａがそれぞれ設けられ、各ボルト穴５ａには中空部５ｂの端部から挿入されたナット金具８が配設されており、このナット金具８には、外壁パネル５の裏面側下部左右に配設された外壁取付金具６または裏面側上部左右に配設された外壁取付金具３６がボルト９を用いて固定されている。この外壁取付金具６，３６は、鋼板を折曲して形成されており、その一端部に断面略Ｕ字状の係合部６ａ，３６ａを有している他、長穴状のボルト穴６ｂ，３６ｂが形成されている。この外壁取付金具６，３６は、外壁パネル５の裏面側下部左や裏面側上部左に固定される場合、その係合部６ａ，３６ａが左方となるように配置され、また、裏面側下部右や裏面側上部右に固定される場合、その係合部６ａ，３６ａが右方となるように配置される。
【００２１】
さらに、内壁パネル７にも、図５に示すように、その裏面側上部左右および裏面側下部左右にボルト穴７ａがそれぞれ設けられ、各ボルト穴７ａには中空部７ｂの端部から挿入されたナット金具８が配設されており、このナット金具８のうち、内壁パネル７の裏面側上部左右に配設されたナット金具８には内壁上部取付金具１２がボルト９を用いて固定されており、内壁パネル７の裏面側下部左右に配設されたナット金具８には内壁下部取付金具１３がボルト９を用いて固定されている。
【００２２】
この内壁上部取付金具１２は、鋼板をＬ字状に折曲して形成されており、その垂直部１２ａにボルト９と螺合可能なめねじ穴１２ａ１を有しており、水平部１２ｂにボルト１４と螺合可能なめねじ穴１２ｂ１を有している。そして、内壁上部取付金具１２はその水平部１２ｂが上方となるように配置される。
【００２３】
一方、内壁下部取付金具１３は、鋼板を折曲して形成され、その一端部に断面略く字状の挟持部１３ａを有している他、長穴状のボルト穴１３ｂが形成されている。この内壁下部取付金具１３はその挟持部１３ａが下方となるように配置される。
【００２４】
なお、補強柱２のボード固定部材２４には、耐火性ボード、例えば、木片セメント板１７（図１参照）が固定されている。
【００２５】
また、梁１の上フランジ１ｂには、ベランダの床材を敷設するためのＡＬＣ１０を支持する受け金具１１が固定されている。
【００２６】
次に、バルコニーの外壁を形成する手順について説明する。
まず、図４に示すように、外壁パネル５の中空部５ｂの端部からナット金具８を挿入し、ボルト穴５ａに嵌合させた後、外壁取付金具６，３６のボルト穴６ｂ，３６ｂと外壁パネル５のボルト穴５ａとを通してボルト９をねじ込み、ナット金具８をボルト穴５ａとの嵌合位置に固定する。同様に、図５に示すように、内壁パネル７の中空部７ｂの端部からナット金具８を挿入し、ボルト穴７ａに嵌合させた後、内壁上部取付金具１２のめねじ穴１２ａ１または内壁下部取付金具１３のボルト穴１３ｂと内壁パネル７のボルト穴７ａとを通してボルト９をねじ込み、内壁上部取付金具１２を内壁パネル７の裏面側上部左右に設けられたボルト穴７ａとの嵌合位置に固定し、内壁下部取付金具１３を内壁パネル７の裏面側下部左右に設けられたボルト穴７ａとの嵌合位置に固定する。
【００２７】
なお、外壁パネル５のボルト穴５ａに通したボルト９はナット金具８から脱落しない程度に仮止めされている。
【００２８】
一方、梁１の上フランジ１ｂ上面に支持板３を介して補強柱２の補強柱固定部材２６をボルトナット固定する。この際、補強柱２は、そのボード固定部材２４が内側に位置するように固定され、支持板３は、その一端部が梁１の上フランジ１ｂよりも外側に突出するように固定される。さらに、ボルト１９をナット（図示せず）に抜け落ちない程度にネジ込んで、内壁下部取付部材２３を支柱２１に仮止めしておく。
【００２９】
次いで、クレーン等を利用してワイヤで外壁パネル５を吊り上げ、その下端部を支持板３に載置した後、外壁取付金具６，３６の係合部６ａ，３６ａを外壁取付部材２２，３２のリップ部２２ａ，２２ｂ，３２ａ，３２ｂに係合させ、ボルト９を締め付ける。この結果、外壁パネル５は、補強柱２の外壁取付部材２２，３２に固定される（図６参照）。
【００３０】
同様に、クレーン等を利用してワイヤで内壁パネル７を吊り上げ、仮止めしたボルト１９を回転軸として内壁下部取付部材２３を内側に回転させて内壁下部取付部材２３の垂直板材２３ｂを内側に所定角度倒した状態で、内壁下部取付金具１３の挟持部１３ａと内壁パネル７との間に内壁下部取付部材２３の垂直板材２３ｂを差し込んだ後、内壁パネル７の下端部を内壁下部取付部材２３の支持板材２３ａの水平部２３１に載置する（図７参照）。
【００３１】
次いで、内壁上部取付部材４の長穴４ａと内壁上部取付金具１２の水平部１２ｂのめねじ穴１２ｂ１とが垂直方向において一致するように、内壁パネル７を起こして（すなわち、仮止めしたボルト１９を回転軸として内壁下部取付部材２３を外側に回転させて）内壁下部取付部材２３の垂直板材２３ｂを垂直な状態にする。そして、内壁上部取付部材４の長穴４ａにボルト１４を挿通させ、内壁上部取付金具１２のめねじ穴１２ｂ１にボルト１４を螺合させるとともに、ボルト１９をナット（図示せず）に締結して内壁下部取付部材２３を支柱２１に固定する。この結果、内壁パネル７は、補強柱２の内壁下部取付部材２３と内壁上部取付部材４とに固定される。
【００３２】
この後、笠木固定部材１５のボルト穴と内壁上部取付部材４のめねじ穴４ｂとが一致するように笠木固定部材１５を内壁上部取付部材４上に載置し、ボルト１６を締結し、笠木固定部材１５を内壁上部取付部材４に固定する。さらに、笠木固定部材１５に図示しない笠木や手摺り等を固定する。
【００３３】
従って、補強柱２を梁１に固定するとともに、外壁パネル５を補強柱２の外壁取付部材２２，３２にボルト止めし、内壁パネル７の裏面側下部左右に固定された内壁下部取付金具１３の挟持部１３ａと内壁パネル７との間に内壁下部取付部材２３の垂直板材２３ｃを差し込んだ後、内壁パネル７を内壁上部取付部材４にボルト止めするだけの簡単な作業で梁１にバルコニーの外壁パネル５および内壁パネル７を確実に固定することができる。
【００３４】
さらに、外壁パネル５と内壁パネル７とを成形する際に、外壁パネル５の外側表面と内壁パネル７の内側表面とに適宜模様を施しておくことにより、バルコニーの内側にも外壁パネル５の外側表面と同様の内壁パネル７の表面が露呈することから、バルコニー内からの外観を損なうことがない。
【００３５】
【発明の効果】
以上説明したように本発明によれば、バルコニーの外壁パネルおよび内壁パネルを補強柱を介して梁に対して簡単確実に固定することができ、しかも、バルコニー内からの外観を損なうことがない。
【図面の簡単な説明】
【図１】本発明のバルコニーにおける外壁の取付構造の一例を示す断面図である。
【図２】図１に示す補強柱および該補強柱に固定される内壁上部取付部材の斜視図である。
【図３】本発明のバルコニーにおける外壁の取付構造の他の例を示す断面図である。
【図４】外壁パネルに外壁取付金具を取り付ける手順を示す説明図である。
【図５】内壁パネルに内壁上部取付金具および内壁下部取付金具を取り付ける手順を示す説明図である。
【図６】図３に示す補強柱に外壁パネルを取り付けた状態を示す断面図である。
【図７】図３に示す補強柱の内壁下部取付部材に内壁パネルを取り付けた状態を示す断面図である。
【図８】従来の外壁パネルの取付構造を一部省略して示す斜視図である。
【符号の説明】
１  梁
１ａ  下フランジ
１ｂ  上フランジ
２  補強柱
２１  支柱
２２，３２  外壁取付部材
２３  内壁下部取付部材
３  支持板
４  内壁上部取付部材
５  外壁パネル
６，３６  外壁取付金具
７  内壁パネル
１２  内壁上部取付金具
１３  内壁下部取付金具
【図１】
0003765953.tif 000002
【図２】
0003765953.tif 000003
【図３】
0003765953.tif 000004
【図４】
0003765953.tif 000005
【図５】
0003765953.tif 000006
【図６】
0003765953.tif 000007
【図７】
0003765953.tif 000008
【図８】
0003765953.tif 000009